(57)【要約】【課題】経験者のスキルに依存せずに安全な実施計画を効率的に立案することができ、計画内容を機械的に評価することができる電気系アイソレーション管理技術を提供する。【解決手段】管理装置１０は、電気系回路を構成する機器の各々を識別する機器ＩＤ及びこれら機器間の給電ルートを識別するルートＩＤが含まれるデータシート１１（１１ａ，１１ｂ）を記憶する回路データ記憶部１２と、隔離対象となる対象機器を識別する機器ＩＤを指定する指定部１５と、電源から対象機器までの給電ルートに関連付けられる複数のルートＩＤを取り合う機器ＩＤを検索する検索部１６と、ここで検索された複数の機器ＩＤのうち対象機器を挟むよう位置する二つの機器を識別する機器ＩＤのペアを選択する選択部１７と、を備えている。【選択図】図１
2020091782.tif 000002
【特許請求の範囲】
【請求項１】
電気系回路を構成する機器の各々を識別する機器ＩＤ及びこれら機器間の給電ルートを識別するルートＩＤが含まれるデータシートを記憶する回路データ記憶部と、
隔離対象となる対象機器を識別する前記機器ＩＤを指定する指定部と、
電源から前記対象機器までの給電ルートに関連付けられる複数の前記ルートＩＤを取り合う前記機器ＩＤを検索する検索部と、
前記検索された複数の前記機器ＩＤのうち前記対象機器を挟むよう位置する二つの前記機器を識別する機器ＩＤのペアを選択する選択部と、を備えるアイソレーション管理装置。
【請求項２】
請求項１に記載のアイソレーション管理装置において、
前記機器ＩＤの各々に紐づけた通電設定（ＯＮ／ＯＦＦ）を記載した設定リストを記憶する設定リスト記憶部と、
前記選択された前記機器ＩＤのペアの各々に紐づけた前記通電設定をＯＦＦにして前記設定リストを更新する更新部と、
前記設定リストに基づいて、前記機器の各々における給電状態をシミュレーションするシミュレータと、を備えるアイソレーション管理装置。
【請求項３】
請求項２に記載のアイソレーション管理装置において、
複数の前記機器のうち前記給電状態が予め制約されている制約機器を前記機器ＩＤに紐づけて登録した登録リストを記憶する登録リスト記憶部と、
前記更新後の前記設定リストに基づく前記シミュレーションで得られた前記制約機器の前記給電状態と前記登録リストに登録されている前記制約機器の前記給電状態とが一致するか成否判定する成否判定部と、を備えるアイソレーション管理装置。
【請求項４】
請求項２又は請求項３に記載のアイソレーション管理装置において、
前記設定リストを更新する前後で、前記給電状態に変化があった前記機器ＩＤを認定する認定部を、備えるアイソレーション管理装置。
【請求項５】
請求項２から請求項４のいずれか１項に記載のアイソレーション管理装置において、
前記機器の機種情報に紐づけた前記通電設定の初期値（ＯＮ／ＯＦＦ）を記録した初期リストを記憶する初期リスト記憶部と、
プラント運転のモード毎に、前記通電設定が前記初期値から変更される前記機器の前記機器ＩＤが掲載される変更リストを記憶する変更リスト記憶部と、
前記初期リスト及び前記変更リストに基づいて前記設定リストを生成するリスト生成部と、を備えるアイソレーション管理装置。
【請求項６】
請求項１から請求項５のいずれか１項に記載のアイソレーション管理装置において、
前記電気系回路のＣＡＤデータを変換して前記データシートを生成するデータ変換部を備えるアイソレーション管理装置。
【請求項７】
請求項１から請求項６のいずれか１項に記載のアイソレーション管理装置において、
前記機器ＩＤのペアに紐付けられ、人が認識可能な隔離情報を出力する出力部を備えるアイソレーション管理装置。
【請求項８】
電気系回路を構成する機器の各々を識別する機器ＩＤ及びこれら機器間の給電ルートを識別するルートＩＤが含まれるデータシートを記憶するステップと、
隔離対象となる対象機器を識別する前記機器ＩＤを指定するステップと、
電源から前記対象機器までの給電ルートに関連付けられる複数の前記ルートＩＤを取り合う前記機器ＩＤを検索するステップと、
前記検索された複数の前記機器ＩＤのうち前記対象機器を挟むよう位置する二つの前記機器を識別する機器ＩＤのペアを選択するステップと、を含むアイソレーション管理方法。
【請求項９】
コンピュータに、
電気系回路を構成する機器の各々を識別する機器ＩＤ及びこれら機器間の給電ルートを識別するルートＩＤが含まれるデータシートを記憶するステップ、
隔離対象となる対象機器を識別する前記機器ＩＤを指定するステップ、
電源から前記対象機器までの給電ルートに関連付けられる複数の前記ルートＩＤを取り合う前記機器ＩＤを検索するステップ、
前記検索された複数の前記機器ＩＤのうち前記対象機器を挟むよう位置する二つの前記機器を識別する機器ＩＤのペアを選択するステップ、を実行させるアイソレーション管理プログラム。
【発明の詳細な説明】
【技術分野】
【０００１】
本発明の実施形態はプラントの電気系統に対するアイソレーション管理技術に関する。
【背景技術】
【０００２】
工場や発電所等のプラントには、設備の運転や監視のために、電源や制御回路等の電気系統が広範囲にわたり膨大に存在する。このようなプラントで点検や工事をする時は、安全処置として、その対象区域をその他の区域から隔離（アイソレーション）しなければならない。従来、電気系統のアイソレーション（以下、電気系アイソレーションという）の実施計画は、専門のエンジニアが、各機器の電気的な接続関係を示す展開接続図（ＥＣＷＤ）等を参照し他の機器に対する影響を検討しながら、隔離項目を策定していた。
【０００３】
このような電気系アイソレーションの実施計画を効率的に立てるために、隔離箇所に関連する制御ロジックのＩ／Ｏ情報を、展開接続図（ＥＣＷＤ：Elementary Control Wiring Diagram）に付加して可視化する技術が提供されている。また、過去の隔離実績として作成管理されているリスト等を参照し、隔離の対象の誤設定や範囲の誤設定を防止する技術が提供されている。
【先行技術文献】
【特許文献】
【０００４】
【特許文献１】特開平６−４６５２８号公報
【発明の概要】
【発明が解決しようとする課題】
【０００５】
ところで、そのようなプラントの電気系統を表す展開接続図（ＥＣＷＤ）は、数千ページ以上にわたる膨大な量である。従来の電気系アイソレーションの実施計画は、このような膨大な紙図面に基づいて、経験者が関連回路を調査しながらの立案していた。そして、この実施計画を立案した後の確認作業は、紙図面上の回路をマーカーで塗りつぶす等して行っていた。
【０００６】
このため、塗りつぶしミス、回路の通電状態の想定ミス、対象機器や回路の抽出ミス等を防止するため、前記した確認作業に二重三重のチェックを要していた。このように電気系アイソレーションの実施計画の立案は、作業員のスキルに依存するところが大きく、また安全性確保のためには多大な時間を要していた。
【０００７】
本発明の実施形態はこのような事情を考慮してなされたもので、経験者のスキルに依存せずに安全な実施計画を効率的に立案することができ、計画内容を機械的に評価することができる電気系アイソレーション管理技術を提供することを目的とする。
【課題を解決するための手段】
【０００８】
実施形態に係るアイソレーション管理装置は、電気系回路を構成する機器の各々を識別する機器ＩＤ及びこれら機器間の給電ルートを識別するルートＩＤが含まれるデータシートを記憶する回路データ記憶部と、隔離対象となる対象機器を識別する前記機器ＩＤを指定する指定部と、電源から前記対象機器までの給電ルートに関連付けられる複数の前記ルートＩＤを取り合う前記機器ＩＤを検索する検索部と、前記検索された複数の前記機器ＩＤのうち前記対象機器を挟むよう位置する二つの前記機器を識別する機器ＩＤのペアを選択する選択部と、を備えている。
【発明の効果】
【０００９】
本発明の実施形態により、経験者のスキルに依存せずに安全な実施計画を効率的に立案することができ、計画内容を機械的に評価することができる電気系アイソレーション管理技術が提供される。
【図面の簡単な説明】
【００１０】
【図１】本発明の第１実施形態に係る電気系アイソレーション管理装置のブロック図。
【図２】各実施形態に適用される電気系回路の展開接続図。
【図３】各実施形態に適用される電気系回路を構成する機器のデータシート。
【図４】各実施形態に適用される電気系回路を構成する給電ルートのデータシート。
【図５】給電ルート上で対象機器を挟むよう位置する機器ペアを出力した隔離情報テーブル。
【図６】機器の機種毎の通電設定の初期値を記録した初期リスト。
【図７】通電設定が初期値から変更される機器を、プラントの運転モード毎に掲載した変更リスト。
【図８】電気系回路を構成する機器の各々に紐づけた通電設定を記載した設定リスト。
【図９】給電状態が予め制約されている制約機器を登録した登録リスト。
【図１０】制約機器の給電状態シミュレーション結果と給電状態がＯＫからＮＧに変化した機器の数とを出力した隔離情報テーブル。
【図１１】制約機器の給電状態シミュレーション結果の適合性が成立したものを抽出した隔離情報テーブル。
【図１２】選択された隔離情報（機器ペア）の詳細を出力した帳票。
【図１３】第１実施形態に係る電気系アイソレーション管理方法及び電気系アイソレーション管理プログラムのフローチャート。
【図１４】第２実施形態に係る電気系アイソレーション管理装置のブロック図。
【図１５】第３実施形態に係る電気系アイソレーション管理装置のブロック図。
【図１６】第４実施形態に係る電気系アイソレーション管理装置のブロック図。
【発明を実施するための形態】
【００１１】
（第１実施形態）
以下、本発明の実施形態を添付図面に基づいて説明する。図１は第１実施形態に係る電気系アイソレーション管理装置１０Ａ（１０）「以下、管理装置１０Ａ（１０）のように記す」のブロック図である。なお、実施形態では機器Ａ１をアイソレーションの対象機器とする例として説明する。
【００１２】
図１に示すように管理装置１０Ａ（１０）は、電気系回路２０（図２）を構成する機器（Ａ１−Ａ４，Ｂ１，Ｃ１，Ｃ２，Ｄ１−Ｄ４，Ｅ１−Ｅ４，Ｆ１，Ｆ４，Ｇ１，Ｇ４，Ｈ１，Ｈ４，Ｊ１，Ｋ１）の各々を識別する機器ＩＤ（図３）及びこれら機器間の給電ルート（Ｒ１−Ｒ１３）を識別するルートＩＤ（図４）が含まれるデータシート１１（１１ａ，１１ｂ）を記憶する回路データ記憶部１２と、隔離対象となる対象機器（実施形態において機器Ａ１を指定）を識別する機器ＩＤを指定する指定部１５と、電源２１（図２）から対象機器（機器Ａ１）までの給電ルートＲ（Ｒ１，Ｒ３，Ｒ４，Ｒ６，Ｒ８；Ｒ９−Ｒ１３）に関連付けられる複数のルートＩＤ（図４）を取り合う機器ＩＤを検索する検索部１６と、ここで検索された複数の機器ＩＤのうち対象機器（機器Ａ１）を挟むよう位置する二つの機器を識別する機器ＩＤのペア（図５；機器ペア）を選択する選択部１７と、を備えている。
【００１３】
さらに管理装置１０Ａ（１０）は、電気系回路２０（図２）のＣＡＤデータ１８を変換してデータシート１１（１１ａ，１１ｂ）を生成するデータ変換部１９を備えている。
【００１４】
図２は各実施形態に適用される電気系回路２０の展開接続図である。プラントでは、点検や工事等の作業を実施する際に、機器への給電状態が制約される機器を予め登録したうえで、作業対象となる対象機器を隔離する隔離計画を作成する必要がある。管理装置１０Ａ（１０）は、このような展開接続図等で表される電気系回路２０を構成する機器のうち、点検や工事の対象となる盤や表示器や操作器や端子台等の機器を対象機器として指定して、給電ルートＲの取り合い情報から隔離計画を作成するものである。
【００１５】
図３は各実施形態に適用される電気系回路２０を構成する機器のデータシート１１ａ（以下、単に「シート１１ａ」という）である。シート１１ａの「機器ＩＤ」の欄に記載されるコード記号は、電気系回路２０（図２）を構成する機器の各々を指し示す符号に一致させているが、これら機器を互いに識別するための識別子である。シート１１ａの「機種」の欄に記載される名称は、各々の機器をパーツとして管理するための名称で、機器ＩＤが異なっても同じ仕様の機種であれば同じ名称が付与されている。
【００１６】
シート１１ａの「設置ＩＤ」の欄に記載されるコード名は、各々の機器が搭載されている共通のユニットＵ（Ｕ１，Ｕ３，Ｕ４）や共通のボードＰ（Ｐ１，Ｐ２，Ｐ３）である。電気系回路２０（図２）においてこれらユニットＵは破線で表され、ボードＰは一点鎖線で表されている。シート１１ａの「図面番号」は、これら機器が表示される展開接続図の識別番号である。シート１１ａの「位置座標」は、各々の機器が表示される展開接続図上の位置座標の情報である。
【００１７】
図４は各実施形態に適用される電気系回路２０を構成する給電ルートＲのデータシート１１ｂ（以下、単に「シート１１ｂ」という）である。シート１１ｂの「ルートＩＤ」の欄に記載されるコード記号は、電気系回路２０（図２）を構成する給電ルートＲの各々を指し示す符号に一致させているが、これら給電ルートＲを互いに識別するための識別子である。
【００１８】
シート１１ｂの「ＩＮ側の機器」の欄には、電源２１からの電流が入る給電ルートＲの一端に接続される機器ＩＤが取合番号とともに記載されている。そしてシート１１ｂの「ＯＵＴ側の機器」の欄には、この電流が出る給電ルートＲの他端に接続される機器ＩＤが取合番号とともに記載されている。
【００１９】
このシート１１ｂにおいて、対象機器Ａ１を起点にしてＩＮ側のルートＩＤに接続されている機器ＩＤを検索すると、Ｄ１，Ｃ１，Ｆ１，Ｇ１，Ｊ１が検索される。同様に対象機器Ａ１を起点にしてＯＵＴ側のルートＩＤに接続されている機器ＩＤを検索すると、Ｂ１，Ｅ１，Ｃ２，Ｈ１，Ｋ１が検索される。検索部１６は、このようにルートＩＤを手繰って給電ルートＲ上で取り合う機器ＩＤを検索する。
【００２０】
図５は給電ルート上で対象機器である機器Ａ１を挟むよう位置する機器ペアを出力した隔離情報テーブルである。選択部１７は、検索部１６で検索されたＩＮ側の機器のうち一つを選択し、さらにＯＵＴ側の機器のうち一つを選択し、これらを組み合わせ機器ＩＤのペアを作る。なお、図５の隔離情報テーブルに記載される機器ＩＤのペアは、電気系回路２０（図２）において対象機器（機器Ａ１）を中心にそれぞれ対称に位置する端子台が選択されているが、これに限定されることはない。つまり、ＩＮ側の任意の機器ＩＤとＯＵＴ側の任意の機器ＩＤとにより機器ＩＤのペアを組み合わせることができる。また図５の隔離情報テーブルには、フューズの機器Ｆ１のように機器ＩＤのペアの組み合わせを取らないものも含めることができる。
【００２１】
図１に戻って説明を続ける。さらに管理装置１０Ａ（１０）は、機器ＩＤの各々に紐づけた通電設定（ＯＮ／ＯＦＦ）を記載した設定リスト３１（図８）を記憶する設定リスト記憶部３２と、選択部１７で選択された機器ＩＤのペア（図５；機器ペア）の各々に紐づけた通電設定をＯＦＦにして設定リスト３１を更新する更新部３５と、この設定リスト３１に基づいて機器の各々における給電状態をシミュレーションするシミュレータ３６と、を備えている。
【００２２】
さらに管理装置１０Ａ（１０）は、機器の機種情報に紐づけた通電設定の初期値（ＯＮ／ＯＦＦ）を記録した初期リスト４１（図６）を記憶する初期リスト記憶部４２と、プラント運転のモード毎に通電設定が初期値から変更される機器の機器ＩＤが掲載される変更リスト４５（図７）を記憶する変更リスト記憶部４６と、初期リスト４１及び変更リスト４５に基づいて設定リスト３１を生成する生成部４７と、を備えている。
【００２３】
図６は機器の機種毎の通電設定の初期値を記録した初期リスト４１である。このように電気系回路２０（図２）を構成する機器は、機種毎に通電設定の初期値が決められている。ここで通電設定ＯＮとは機器により電気的な閉回路が形成されることを指し、通電設定ＯＦＦとは機器により電気的な開回路が形成されることを指す。
【００２４】
図７は通電設定が初期値から変更される機器の機器ＩＤを、プラントの運転モード毎に掲載した変更リスト４５である。図８は電気系回路を構成する機器の各々に紐づけた通電設定（ＯＮ／ＯＦＦ）を記載した設定リスト３１である。プラントにおいては、図８に示すように、運転モード毎に、各々の機器の通電設定（ＯＮ／ＯＦＦ）がなされている。
【００２５】
そして、図７に示すように、この通電設定が初期値から変更される機器のみについて、その機器ＩＤが変更リスト４５に掲載されている。具体的に、「停止状態」の運転モード１では、機器Ａ１，Ｂ１、Ｃ１，Ｃ２の通電設定が初期値から変更することになっている。そして、図８に示すように、この機器Ａ１，Ｂ１、Ｃ１，Ｃ２の通電設定のみが初期値のＯＮからＯＦＦへと変更されている。同様に、図７の「起動時準備完了状態」の運転モード２では、機器Ａ２，Ａ３の通電設定が初期値から変更することになっている。そして、図８に示すように、この機器Ａ２，Ａ３の通電設定のみが初期値のＯＦＦからＯＮへと変更されている。
【００２６】
図１に戻って説明を続ける。さらに管理装置１０Ａ（１０）は、複数の機器のうち給電状態が予め制約されている制約機器（図９）を機器ＩＤに紐づけて登録した登録リスト５１を記憶する登録リスト記憶部５２と、更新部３５で更新された後の設定リスト３１に基づいてシミュレータ３６で得られた制約機器の給電状態と登録リスト５１に登録されている制約機器（図９）の給電状態とが一致するか成否判定する成否判定部５３と、を備えている。
【００２７】
図９は給電状態が予め制約されている制約機器を登録した登録リスト５１である。ここで着目する機器の給電状態がＯＫとは、設定リスト３１で設定された通りに全ての機器の通電設定がなされている状態で、電源２１の電圧がこの着目する機器に印加されている状態を指す。また着目する機器の給電状態がＮＧとは、設定リスト３１で設定された通りに全ての機器の通電設定がなされている状態で、電源２１の電圧がこの着目する機器に印加されていない状態を指す。制約機器とは、隔離の対象機器（機器Ａ１）以外の機器であって、点検や工事等で隔離作業を実施する際に、給電状態がＮＧ又はＯＫのいずれかをとることが予め制約されている機器を指す。つまり、点検や工事等の作業要件の一部である。
【００２８】
なお電気系回路２０を構成する全ての機器の各々における給電状態は、シミュレータ３６に、通電設定（ＯＮ／ＯＦＦ）を記載した設定リスト３１の情報を入力することによりシミュレーションすることができる。
【００２９】
登録リスト５１に、給電状態ＮＧで登録されている機器があると、この機器の通電設定がＯＦＦであるか、または通電設定がＯＮであっても電源２１の電圧が当該機器に印加されないことが、隔離計画の適合性が成立する条件となる。他方において給電状態ＯＫで登録されている機器があると、この機器の通電設定がＯＮであり、さらに電源２１の電圧が当該機器に印加されていることが隔離計画の適合性が成立する条件となる。
【００３０】
図１０の隔離情報テーブルには、制約機器の給電状態シミュレーション結果が出力されている。この図１０の隔離情報テーブルは、図５からの続きである。登録リスト（図９）に登録された制約機器の給電状態シミュレーション結果が、隔離情報テーブルの管理ＩＤ毎に、「一致〇」又は「不一致×」で判定される。そして、「不一致×」の制約機器が一つでもある管理ＩＤは、隔離作業の適応性において「不成立」と認定され、該当する機器ペアは、隔離作業で採用することができない。そして、登録されている制約機器の全てが「一致〇」である管理ＩＤは、隔離作業の適応性において「成立」と認定され、該当する機器ペアは、隔離作業に採用することができる。
【００３１】
図１に戻って説明を続ける。さらに管理装置１０Ａ（１０）は、設定リスト３１を更新部３５で更新する前後で給電状態に変化があった機器ＩＤを認定する認定部５５を備えている。さらに管理装置１０Ａ（１０）は、機器ＩＤのペアに紐付けられ人が認識可能な隔離情報を端末装置５７に出力する出力部５６を備えている。
【００３２】
更新部３５において、設定リスト３１（図８）に記載された機器ＩＤの通電設定が一部更新されたことにより、この更新前後において給電状態がＮＧからＯＫに変化したり逆にＯＫからＮＧに変化したりする機器が現れる。多くの機器の給電状態が変化することは、隔離作業による影響の範囲が大きいことを意味する。したがって、適応性が成立と認定された隔離作業の中では、給電状態が変化する機器が少ないほうが望ましい。
【００３３】
図１０の隔離情報テーブルには、給電状態がＯＫからＮＧに変化した機器の数が出力されている。なお隔離情報テーブルは、このように給電状態が変化した機器の数を出力する以外に、該当する機器ＩＤを出力してもよい。
【００３４】
図１１は制約機器の給電状態シミュレーション結果の適合性が成立したものを抽出した隔離情報テーブルである。図１１の隔離情報テーブルに記載されている管理ＩＤは、全て、適合性が認定された隔離作業を示している。作業員は、この図１１の隔離情報テーブルの中から、その他の作業要件を考慮しつつ、いずれか一つの管理ＩＤを選択する。ここで、作業員がより望ましい隔離作業を選択しやすいように、給電状態が変化する機器数が少ない順に並び替える、機器状態が変化する機器数が少ないものを強調表示する、等の処理をして表示してもよい。
【００３５】
図１２は選択された隔離情報（機器ペア）の詳細を出力した帳票である。このような帳票を出力する端末装置５７としては、プリンタやモニタ、携帯端末が例示される。また、端末装置５７に出力される情報としては、図１２の帳票に限定されることはなく、図３〜図１０に表される、リストやテーブルも対象にすることができる。
【００３６】
なお管理装置１０Ａ（１０）は、データシート１１（１１ａ，１１ｂ）、ＣＡＤデータ１８、設定リスト３１、初期リスト４１、変更リスト４５、登録リスト５１等の情報を、データ入力装置１３により外部入力することができる。
【００３７】
また、管理装置１０Ａは隔離計画案（各隔離情報管理ＩＤ）についてのシミュレータ３６による通電結果をＣＡＤ図面上に描画し、ディスプレイ等に表示することで作業員に視覚的に提示することができる。これにより、作業員は視覚的に隔離計画の評価をしやすくなる。帳票を端末装置５７に出力する際に、この通電結果を描画したＣＡＤ図面を付加して出力してもよい。
【００３８】
図１３のフローチャートに基づいて第１実施形態に係る電気系アイソレーション管理方法及び電気系アイソレーション管理プログラムのフローを説明する（適宜、他の図面を参照）。電気系回路２０（図２）を構成する機器のデータシート１１ａ（図３）及び給電ルートのデータシート１１ｂ（図４）を記憶部１２に記憶させる（Ｓ１１）。
【００３９】
電気系回路２０の中から隔離対象となる対象機器Ａ１をその機器ＩＤにより指定する（Ｓ１２）。そして、電源２１から対象機器Ａ１までの給電ルート上の機器をその機器ＩＤにより検索する（Ｓ１３）。さらに、検索した複数の機器ＩＤのうち対象機器Ａ１を挟む機器ペアをその機器ＩＤの組み合わせとして選択し、隔離情報テーブル（図５）に出力する（Ｓ１４、Ｓ１５）。
【００４０】
設定リスト３１（図８）をダウンロードし、機器ペアの機器ＩＤに紐づけられている通電設定をＯＦＦにして更新する（Ｓ１６）。そして、更新後の設定リスト３１に基づいて機器の給電状態のシミュレーションを行う（Ｓ１７）。
【００４１】
ここで、登録リスト５１（図９）に制約機器が登録されていれば（Ｓ１８ Ｙｅｓ）、この制約機器のシミュレーション結果と登録されている給電状態との一致／不一致を判定する（Ｓ１９）。この一致／不一致の判定結果を隔離情報テーブル（図１０）に出力する（Ｓ２０）。そして、隔離情報テーブル（図１０）に掲載されている全ての機器ペアの管理ＩＤに対し（Ｓ１９）〜（Ｓ２０）のフローを繰り返す（Ｓ２１ Ｎｏ Ｙｅｓ）。
【００４２】
これにより、隔離情報テーブル（図１０）における「適合性」の項目において「成立」「不成立」の情報が埋まる。なお、登録リスト５１（図９）に制約機器が登録されていない場合は（Ｓ１８ Ｎｏ）、（Ｓ２２）にジャンプする。
【００４３】
次に、（Ｓ１７）で更新される前の設定リスト３１に基づいてシミュレーションした給電状態と更新後にシミュレーションされた給電状態とを対比して、変化している機器を認定し、結果を隔離情報テーブル（図１０）に出力する（Ｓ２２，Ｓ２３，Ｓ２４）。そして、隔離情報テーブル（図１０）に掲載されている全ての隔離情報の管理ＩＤに対し（Ｓ２３）〜（Ｓ２４）のフローを繰り返す（Ｓ２５ Ｎｏ Ｙｅｓ）。そして、このようにして得られた給電状態の情報も鑑みて、最終的に隔離計画に採用する作業を選択し（図１１）、帳票（図１２）等に出力する（ＥＮＤ）。
【００４４】
（第２実施形態）
次に図１４を参照して本発明における第２実施形態について説明する。図１４は第２実施形態に係る電気系アイソレーション管理装置１０Ｂのブロック図である。なお、図１４において図１と共通の構成又は機能を有する部分は、同一符号で示し、重複する説明を省略する。第２実施形態の管理装置１０Ｂで出力される隔離情報テーブルは、図５に示すように、少なくとも機器ペアの情報が掲載されている。
【００４５】
（第３実施形態）
次に図１５を参照して本発明における第３実施形態について説明する。図１５は第３実施形態に係る電気系アイソレーション管理装置１０Ｃのブロック図である。なお、図１５において図１と共通の構成又は機能を有する部分は、同一符号で示し、重複する説明を省略する。第３実施形態の管理装置１０Ｃで出力される隔離情報テーブルは、図１０のうちシミュレーション結果の「一致」「不一致」の結果と、適合性確認の「成立」「不成立」の結果が少なくとも掲載されている。
【００４６】
（第４実施形態）
次に図１６を参照して本発明における第４実施形態について説明する。図１６は第４実施形態に係る電気系アイソレーション管理装置１０Ｄのブロック図である。なお、図１６において図１と共通の構成又は機能を有する部分は、同一符号で示し、重複する説明を省略する。第４実施形態の管理装置１０Ｄで出力される隔離情報テーブルは、図１０のうち機器の給電状態に関する情報が少なくとも掲載されている。
【００４７】
以上述べた少なくともひとつの実施形態のアイソレーション管理装置によれば、電気系回路を構成する機器の識別情報とこれら機器間の給電ルートの識別情報を用いて、隔離計画の作成を効率化することができる。また、隔離作業をシミュレーションすることにより、経験者のスキルに依存せずに安全な実施計画を効率的に立案することができ、計画内容を機械的に評価することが可能となる。
【００４８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【００４９】
以上説明したアイソレーション管理装置は、専用のチップ、ＦＰＧＡ（Field Programmable Gate Array）、ＧＰＵ（Graphics Processing Unit）、又はＣＰＵ（Central Processing Unit）などのプロセッサを高集積化させた制御装置と、ＲＯＭ（Read Only Memory）やＲＡＭ（Random Access Memory）などの記憶装置と、ＨＤＤ（Hard Disk Drive）やＳＳＤ（Solid State Drive）などの外部記憶装置と、ディスプレイなどの表示装置と、マウスやキーボードなどの入力装置と、通信Ｉ／Ｆとを、備えており、通常のコンピュータを利用したハードウェア構成で実現できる。また、アイソレーション管理装置の構成要素は、コンピュータのプロセッサで実現することも可能であり、アイソレーション管理プログラムにより動作させることが可能である。
【００５０】
またアイソレーション管理装置で実行されるプログラムは、ＲＯＭ等に予め組み込んで提供される。もしくは、このプログラムは、インストール可能な形式又は実行可能な形式のファイルでＣＤ−ＲＯＭ、ＣＤ−Ｒ、メモリカード、ＤＶＤ、フレキシブルディスク（ＦＤ）等のコンピュータで読み取り可能な記憶媒体に記憶されて提供するようにしてもよい。
【００５１】
また、アイソレーション管理装置で実行されるプログラムは、インターネット等のネットワークに接続されたコンピュータ上に格納し、ネットワーク経由でダウンロードさせて提供するようにしてもよい。また、アイソレーション管理装置は、構成要素の各機能を独立して発揮する別々のモジュールを、ネットワーク又は専用線で相互に接続し、組み合わせて構成することもできる。
【符号の説明】
【００５２】
１０（１０Ａ，１０Ｂ，１０Ｃ，１０Ｄ）…電気系アイソレーション管理装置、１１（１１ａ，１１ｂ）…データシート、１２…回路データ記憶部、１５…指定部、１６…検索部、１７…選択部、１８…ＣＡＤデータ、１９…データ変換部、２０…電気系回路、２１…電源、３１…設定リスト、３２…設定リスト記憶部、３５…更新部、３６…シミュレータ、４１…初期リスト、４２…初期リスト記憶部、４５…変更リスト、４６…変更リスト記憶部、４７…生成部、５１…登録リスト、５２…登録リスト記憶部、５３…成否判定部、５５…認定部、５６…出力部、５７…端末装置。
【図１】
2020091782.tif 000003
【図２】
2020091782.tif 000004
【図３】
2020091782.tif 000005
【図４】
2020091782.tif 000006
【図５】
2020091782.tif 000007
【図６】
2020091782.tif 000008
【図７】
2020091782.tif 000009
【図８】
2020091782.tif 000010
【図９】
2020091782.tif 000011
【図１０】
2020091782.tif 000012
【図１１】
2020091782.tif 000013
【図１２】
2020091782.tif 000014
【図１３】
2020091782.tif 000015
【図１４】
2020091782.tif 000016
【図１５】
2020091782.tif 000017
【図１６】
2020091782.tif 000018